(57)【特許請求の範囲】
【請求項１】
一方の面に第１コネクタを有する第１基板と、
前記第１基板の延びる方向と交差する方向に延びるよう配置される板状部を有し、前記板状部が、前記第１基板が延びる方向に対し前記第１コネクタが設けられた面側に形成された開口部を有している、金属製のシールド部材と、
前記シールド部材の板状部に対し前記第１基板と逆側であってかつ前記開口部に対し前記第１基板と同じ側に配置され、前記開口部側の面に第２コネクタを有する第２基板と、
前記第１コネクタに接続される第１端部と、前記第２コネクタに接続される第２端部と、前記第１端部と前記第２端部とを連結しかつ前記シールド部材の開口部に挿通して配される可撓部とを有する帯状のフレキシブルフラットケーブルと、
前記可撓部の前記第１端部側の端部から前記第２端部側の所定部位までの部分を被覆して前記可撓部を直線状に保つ補強部材であって、前記第１端部側の基端部と前記第２端部側の先端部とを有し、前記フレキシブルフラットケーブルの第１端部が前記第１コネクタに接続された接続状態で、前記先端部が、前記開口部の前記第１基板に近い方の開口端よりも前記第１基板から離れた位置にある前記補強部材と、
を備えた電子機器。
【請求項２】
前記補強部材の先端部が、前記開口部の前記第１基板から遠い方の開口端よりも前記第１基板に近い位置にある、請求項１に記載の電子機器。
【請求項３】
前記シールド部材の板状部は、前記第１基板の延びる方向と直交する方向に延びるよう配置され、
前記第２基板は、前記第１基板が延びる方向と平行に延びて配置され、
前記補強部材は、前記接続状態で、前記フレキシブルフラットケーブルを前記第１基板と平行に延びるよう直線状に保つ、
請求項１又は２に記載の電子機器。
【請求項４】
前記シールド部材の開口部に板厚方向に隣接して固定され、前記開口部に固定された状態で、前記シールド部材の開口部の各開口端から互いに接近するよう突出する２つの端によって規定されるガイド孔を有するケーブルガイド部材をさらに備え、
前記フレキシブルフラットケーブルの可撓部は、前記ガイド孔にさらに挿通して配される、
請求項１から３のいずれかに記載の電子機器。
【請求項５】
記録媒体に対し画像形成を行う画像形成部をさらに備え、
前記第１基板は、前記画像形成部の動作を制御するための制御基板である、
請求項１から４のいずれかに記載の電子機器。
【請求項６】
原稿の画像情報を読み取る画像読取部をさらに備え、
前記第２基板は、前記画像読取部の動作を制御するための制御基板である、
請求項１から５のいずれかに記載の電子機器。
【発明の詳細な説明】
【技術分野】
【０００１】
本発明は、電子機器、特に、複数の制御基板を有する電子機器に関する。
【背景技術】
【０００２】
複数の制御基板を備えた従来の電子機器として、例えば、複写機や、スキャナ機能を有する複合機では、画像形成部を制御するための制御基板と、画像読取部を制御するための制御基板とを備えている。このような画像形成装置では、複数の基板は、通常、電気信号や画像データの受け渡しを行うために、ＦＦＣ（Flexible Flat Cable）で連結されている。従来のこの種の装置として、ＦＦＣを装置内の筐体に固定させるために、金具、ネジ等の固定手段を用いたものが知られている（例えば、特許文献１及び２参照）。
【０００３】
ところで、電子機器では、機器内で発せられた電磁波が周辺の他の電子機器の動作に影響を及ぼす電磁障害（Electromagnetic Interference 以下、ＥＭＩ）を抑制するために、種々の手段が講じられており、例えば、上記従来の画像形成装置では、１つの制御基板の周囲に板金製のシールド部材を配置することでＥＭＩを抑制するものが知られている。この種の電子機器において、シールド部材を挟むよう互いに離れて配置された基板同士をＦＦＣで連結するために、ＦＦＣが通って配されるための開口部がシールド部材に設けられたものがある。このような電子機器では、シールド部材を挟んで配置される２つの基板が、例えば、開口部に対し同じ側に離れて配置されている場合は、ＦＦＣは、両端部が各基板のコネクタに接続された接続状態では、開口部を通る略Ｃ字形状に撓んだ状態で筐体内に配置される。
【特許文献１】特開２００２−２４０３９３号公報
【特許文献２】特開２００４−１２２５８４号公報
【発明の開示】
【発明が解決しようとする課題】
【０００４】
上記従来の電子機器では、ＦＦＣは、撓んだ状態で装置内に配置されることから、撓む位置によっては、開口部付近でシールド部材に接触して、電波特性が悪化するおそれがある。このような問題を解消するために、上述の金具、ネジ等の固定手段を用いて、ＦＦＣがシールド部材と接触しないよう筐体内の所定箇所に固定することが考えられるが、この場合、複雑な作業を要し、また、部品点数が増えることとなる。
【０００５】
本発明の目的は、複数の制御基板を備えた電子機器において、部品点数を増やさずに、比較的簡単な構成で、電波特性の悪化を抑制することにある。
【課題を解決するための手段】
【０００６】
発明１に係る電子機器は、第１基板と、シールド部材と、第２基板と、フレキシブルフラットケーブルと、補強部材とを備えている。第１基板は、一方の面に第１コネクタを有する。シールド部材は、第１基板の延びる方向と交差する方向に延びるよう配置される板状部を有し、板状部が、第１基板が延びる方向に対し第１コネクタが設けられた面側に形成された開口部を有している、金属製部材である。第２基板は、シールド部材の板状部に対し第１基板と逆側であってかつ開口部に対し第１基板と同じ側に配置され、開口部側の面に第２コネクタを有する。フレキシブルフラットケーブルは、第１コネクタに接続される第１端部と、第２コネクタに接続される第２端部と、第１端部と第２端部とを連結しかつシールド部材の開口部に挿通して配される可撓部とを有する帯状のものである。補強部材は、可撓部の第１端部側の端部から第２端部側の所定部位までの部分を被覆して可撓部を直線状に保つ部材であって、第１端部側の基端部と第２端部側の先端部とを有し、フレキシブルフラットケーブルの第１端部が第１コネクタに接続された接続状態で、先端部が、開口部の第１基板に近い方の開口端よりも第１基板から離れた位置にある。
【０００７】
この電子機器では、フレキシブルフラットケーブルは、接続状態では、第１端部及び第２端部がそれぞれ第１基板及び第２基板に接続されるとともに、可撓部がシールド部材の開口部を通って配されている。ここで、可撓部の第１基板側の部分は、補強部材に被覆されることによって、開口部の第１基板に近い方の開口端よりも第１基板から離れた位置まで直線状に延びるとともに、先端部で被覆された部分より先の部分（第２端部側の部分）は、板状部側に撓んでおり、略Ｃ字形状で配置されている。
【０００８】
このような状態で配置されたフレキシブルフラットケーブルは、第１基板から適度に離れた位置から撓んでいることから、開口部の開口端に接触せずに開口部を通って第２基板側に撓むことができる。これにより、電波特性の低下が抑えられる。また、この電子機器によれば、金具等の固定手段を用いずにフレキシブルフラットケーブルを配置することができるので、固定手段で固定する複雑な作業を必要とせず、組み立てが容易になるとともに、部品点数の増加を回避できる。
【０００９】
発明２に係る電子機器は、発明１の電子機器において、補強部材の先端部が、開口部の第１基板から遠い方の開口端よりも第１基板に近い位置にある。
【００１０】
この電子機器では、補強部材の先端部が、開口部の第１基板から遠い方の開口端より第１基板に近い位置までしか延びていないことから、これに補強されたフレキシブルフラットケーブルが、適当な位置で板状部側に撓み、開口部に接触するのをより確実に抑えることができる。
【００１１】
発明３に係る電子機器は、発明１又は２の電子機器において、シールド部材の板状部は、第１基板の延びる方向と直交する方向に延びるよう配置されている。第２基板は、第１基板が延びる方向と平行に延びて配置されている。補強部材は、接続状態で、フレキシブルフラットケーブルを第１基板と平行に延びるよう直線状に保つ。
【００１２】
発明４に係る電子機器は、発明１から３のいずれかの電子機器において、シールド部材の開口部に板厚方向に隣接して固定され、開口部に固定された状態で、シールド部材の開口部の各開口端から互いに接近するよう突出する２つの端によって規定されるガイド孔を有するケーブルガイド部材をさらに備えている。フレキシブルフラットケーブルの可撓部は、ガイド孔にさらに挿通して配される。
【００１３】
発明５に係る電子機器は、発明１から４のいずれかの電子機器において、記録媒体に対し画像形成を行う画像形成部をさらに備えている。また、第１基板は、画像形成部の動作を制御するための制御基板である。
【００１４】
発明６に係る電子機器は、発明１から５のいずれかの電子機器において、原稿の画像情報を読み取る画像読取部をさらに備えている。また、第２基板は、画像読取部の動作を制御するための制御基板である。
【発明の効果】
【００１５】
本発明によれば、フレキシブルフラットケーブルは、第１基板から適度に離れた位置から撓んでいることから、開口部の開口端に接触せずに開口部を通って第２基板側に撓むことができる。したがって、電波特性の低下が抑えられる。また、この電子機器によれば、金具等の固定手段を用いずにフレキシブルフラットケーブルを配置することができるので、固定手段で固定する複雑な作業を必要とせず、組み立てが容易になるとともに、部品点数の増加を回避できる。
【発明を実施するための最良の形態】
【００１６】
＜複合機の全体構成＞
図１及び図２に、本発明の一実施形態が採用された複合機１を示す。
【００１７】
複合機１は、複写、プリンタ、ファクシミリ、スキャナの各機能を有する画像形成装置であり、操作パネル３と、画像読取部５と、給紙カセット７と、画像形成部９、通信部１１とを備えている。
【００１８】
操作パネル３は、コピー、スキャナ等の各機能の選択や、画像読取部５による読取条件の設定及び読取動作の指示、画像形成部９による印刷条件の設定及びコピーの指示等を行うことができる。読取条件としては、解像度、保存すべきファイル形式等が挙げられ、印刷条件としては、用紙サイズ、片面又は両面印刷、倍率等が挙げられる。操作パネル３は、これらの操作を行うための、タッチパネルを有する液晶ディスプレイ、及び複数のハードキーを有している。ハードキーには、画像読取、コピー等の指示を行うためのスタートキーや、コピー、スキャナ等の各機能を選択するための機能選択キー等が含まれる。
【００１９】
画像読取部５は、原稿の画像情報を後述するＣＣＤ（Charge coupled device）に光学的に読み取らせるためのものであり、光源、レンズ，ミラー等からなる光学系（図示せず）を有している。
【００２０】
給紙カセット７は、用紙等の記録媒体を収納するためのものであり、この複合機１では２段設けられている。
【００２１】
画像形成部９は、給紙カセット７から給紙された記録媒体に対し、画像読取部５で読み取られた画像情報や、ＰＣ（Personal computer）等の外部接続機器から送られる画像データや、公衆回線を介して外部のファクシミリ装置等から送られる画像データに基づいて、画像形成を行う。画像形成部９としては、電子写真プロセスにより画像形成を行うものが採用され、感光体、帯電装置、露光装置、現像装置、転写装置、クリーニング装置、及び定着装置を有している。なお、画像形成部９は、他の実施形態においては、画像形成プロセスとして、湿式か乾式かを問わず、また、電子写真方式に代えてインクジェット方式等の他の画像形成プロセスが採用されても良い。
【００２２】
通信部１１は、ＬＡＮ（Local area network）ケーブル等の通信回線に接続されるネットワークインターフェースを有しており、複合機１のプリンタドライバがインストールされたＰＣ等の外部接続機器から送られる、画像データを含む印刷ジョブを受信する。また、通信部１１は、公衆回線網に接続するためのモデム等を有しており、外部のファクシミリ装置（ファクシミリ機能を有する他の画像形成装置を含む）との間でファクシミリデータの送受信を行う。
【００２３】
また、複合機１の筐体２の上部には、プラテンガラスで構成された原稿載置部（図示せず）が設けられるとともに、原稿押さえ（図示せず）がこの原稿載置部に対し開閉自在に連結されている。
【００２４】
さらに、複合機１は、ここでは図示しないが、給紙カセット７に収納された記録媒体を１枚ずつ給紙して画像形成部９に向けて搬送するための給紙部や、給紙部により搬送された記録媒体を画像形成部９の上流側近傍で待機させ画像形成部９の動作に併せて搬送させるレジストローラ、画像形成部９を通過した記録媒体を複合機１の外に排出するための排出部等を備えている。
【００２５】
＜複合機の要部構成＞
複合機１は、メイン制御基板（第１基板）２１と、ＣＣＤ基板（第２基板）２３と、シールドボックス（シールド部材）２５と、ケーブルガイドフィルム２７と、ＦＦＣ２９と、補強テープ（補強部材）３１とを備えている。
【００２６】
メイン制御基板２１は、ＣＣＤ基板２３、操作パネル３、画像読取部５、画像形成部９、及び通信部１１等の各部に接続されており、ＣＣＤ基板２３や通信部１１からの画像データに画像処理を施して画像形成部９に送るとともに画像形成部９に印刷動作を指示するほか、光学系、給紙部、レジストローラ、排出部等の動作の制御や、電源オン・オフに伴う複合機１の起動及び終了動作を行う。メイン制御基板２１は、ＣＰＵ（Central processing unit）、ＲＡＭ（Random access memory）、ＲＯＭ（Read only memory）を含むマイクロコンピュータ、及び他の電子部品が搭載されている。ＲＯＭには、複合機１の動作のための基本ＯＳ（Operating system）、及び各部の制御を行うためのプログラムを含む各種アプリケーションが格納されており、起動時にＣＰＵによりＲＡＭ上に読み出される。
【００２７】
また、メイン制御基板２１は、図１に示すように、複合機１の水平方向に対し垂直方向に延びるよう筐体２内の所定箇所に取り付けられるとともに、複合機１の奥側（図１の右方）の面に、ＦＦＣ２９の第１端部２９ａが接続されるコネクタ（第１コネクタ）３２が設けられている。コネクタ３２には、ＦＦＣ２９の第１端部２９ａがメイン制御基板２１に対し垂直方向に挿入される。
【００２８】
シールドボックス２５は、メイン制御基板２１から発せられる電磁波が周囲に伝達するのを遮断するための板金製部材であり、筐体２内の所定箇所に取り付けられている。シールドボックス２５は、複合機１の水平方向に延びる板状部２５ａを有しており、この板状部２５ａは、メイン制御基板２１の延びる方向と直交するような位置関係にある。また、板状部２５ａには、メイン制御基板２１が延びる方向に対し、コネクタ３２が設けられた側と同じ側に開口部２５ｂが形成されている。
【００２９】
ＣＣＤ基板２３は、原稿からの反射光の光量に応じて電圧レベルに変換させて、画像データを出力するための基板であり、図示しないＣＣＤ及び他の電子部品が搭載されている。ＣＣＤ基板２３は、シールドボックス２５の板状部２５ａに対しメイン制御基板２１が配置された側と逆側（板状部２５ａの上方）であって、かつ、開口部２５ｂに対し垂直な方向に対しメイン制御基板２１と同じ側（図１において開口部２５ｂの左方）の領域に、複合機１の水平方向に対し垂直に配置されている。ＣＣＤ基板２３は、奥側の面に、ＦＦＣ２９の第２端部２９ｂが接続されるコネクタ（第２コネクタ）３３が設けられている。コネクタ３３には、ＦＦＣ２９の第２端部２９ｂがＣＣＤ基板２３に対し垂直方向に挿入される。
【００３０】
ケーブルガイドフィルム（ケーブルガイド部材）２７は、ＦＦＣ２９がシールドボックス２５の開口部２５ｂに接触するのを避けるためのフィルム状部材であり、シールドボックス２５の板状部２５ａの上面に貼り付けられている。ケーブルガイドフィルム２７は、絶縁性素材で構成されていればよく、ここではポリエステルフィルムが用いられる。ケーブルガイドフィルム２７は、開口部２５ａの水平方向幅より小さい幅を有するガイド孔２７ａが設けられている。
【００３１】
ＦＦＣ２９は、メイン制御基板２１とＣＣＤ基板２３との間で、電子信号、画像データ等の伝達を行うためのケーブルであり、公知のものが用いられる。ＦＦＣ２９は、メイン制御基板２１のコネクタ３２に接続される第１端部２９ａと、ＣＣＤ基板２３のコネクタ３３に接続される第２端部２９ｂと、第１端部２９ａと第２端部２９ｂとを連結しかつシールドボックス２５の開口部２５ｂに挿通して配される可撓部２９ｃとを有する。ＦＦＣ２９は、第１及び第２端部２９ａ，２５ｂが各コネクタ３２，３３に接続された接続状態で、図１に示すように略逆Ｃ字形状に撓んでおり、可撓部２９ｃは、開口部２５ｂの周縁に接触することなくケーブルガイドフィルム２７にのみ接触している。
【００３２】
補強テープ３１は、ＦＦＣ２９の可撓部２９ｃの第１端部２９ａ側の端部から第２端部２９ｂ側の所定部位までの部分を被覆して可撓部２９ｃを水平方向に直線状に保つための部材であり、第１端部２９ａ側の基端部３１ａと、第２端部側の先端部３１ｂとを有している。補強テープ３１には、ポリエチレン、ポリプロピレン等の汎用性樹脂が用いられるが、ＦＦＣ２９を直線状に保てるものであれば材質は特に限定されない。補強テープ３１の先端部３１ｂは、接続状態では、シールドボックス２５の開口部２５ｂの周縁のうち、コネクタ３２に最も近い部位の水平方向位置（図１の破線Ａ）よりもコネクタ３２から離れた位置（奥側）にあり、かつ、シールドボックス２５の開口部２５ｂの周縁のうち、コネクタ３２から最も離れた部位の水平方向位置（図１の破線Ｂ）よりもコネクタ３２寄りの位置にある。
【００３３】
＜複合機の動作＞
次に、複合機１の動作について説明する。
【００３４】
複合機１に電源が投入されると、メイン制御基板２１により、ＯＳ、各種アプリケーションが読み出されて実行され、各種パラメータが初期化されるとともに、画像形成部９では、定着装置のヒータが加熱される。これら一連の初期動作が完了すると、印刷可能な待機状態となる。なお、待機状態では、初期状態としてコピー機能が選択されており、これ以外の機能を使う場合は、希望する機能選択キーを押し下げる。
【００３５】
このような待機状態において、例えばコピーをする場合は、原稿を原稿載置部の所定箇所に載置して原稿押さえを閉じ、スタートキーを押す。すると、メイン制御基板２１により、光学系が駆動されて原稿に記録された画像情報が読み取られ、ＣＣＤ基板２３から出力された画像データに対し画像処理が施される。
【００３６】
このようなコピー動作において、メイン制御基板２１とＣＣＤ基板２３との間では、ＦＦＣ２９を介して、電気信号や画像データの伝達が行われる。このような信号及び画像データの伝達時、或いは他の電源オンの状態において、各制御基板２１，２３の各電子部品からは電磁波が生じるが、メイン制御基板２１で生じた電磁波は、シールドボックス２５によって周囲への漏洩が抑制されている。そして、ＦＦＣ２９の可撓部２９ｃは、補強テープ３１の先端部３１ｂによって破線Ａより奥側まで直線状に延びるよう補強されていることにより、メイン制御基板２１から離れかつ開口部２５ｂに比較的近い位置から上方に撓み、板状部２５ａに接触することが回避される。このため、ＦＦＣ２９がシールドボックス２５に接触して電波特性が低下してしまうのを抑えることができる。
【００３７】
また、この複合機１によれば、金具等の固定手段を用いてＦＦＣ２９を筐体２に固定しなくても、ＦＦＣ２９を撓んだ状態で配することができるため、そのような固定手段を用いて固定する煩雑さが解消されるとともに、部品を追加する必要がないので、コスト、部品点数の低減を図ることができる。
【００３８】
＜他の実施形態＞
（ａ）本発明の電子機器は、ＦＦＣで連結される複数の制御基板を備えたものであれば、複写機、プリンタ、ファクシミリ装置等、複合機以外の画像形成装置でもよく、また、画像形成装置以外の機器であっても良い。
【００３９】
（ｂ）制御基板は、画像読取部及び画像形成部のものに限定されることはなく、例えば、これら各部と併せて又はこれら各部に代えて、他の制御基板が採用されても良い。
【図面の簡単な説明】
【００４０】
【図１】本発明の一実施形態が採用された電子機器を示す縦断面図。
【図２】前記電子機器を示す機能ブロック図。
【符号の説明】
【００４１】
１  複合機（電子機器）
５  画像読取部
９  画像形成部
２１  メイン制御基板（第１基板）
２３  ＣＣＤ基板（第２基板）
２５  シールドボックス（シールド部材）
２５ａ  板状部
２５ｂ  開口部
２７  ケーブルガイドフィルム（ケーブルガイド部材）
２７ａ  ガイド孔
２９  ＦＦＣ（フレキシブルフラットケーブル）
２９ａ  第１端部
２９ｂ  第２端部
２９ｃ  可撓部
３１  補強テープ
３１ａ  基端部
３１ｂ  先端部
３２  コネクタ（第１コネクタ）
３３  コネクタ（第２コネクタ）
Ａ  開口部の第１基板に近い方の開口端の水平方向位置
Ｂ  開口部の第１基板から遠い方の開口端の水平方向位置
【図１】
0004942675.tif 000002
【図２】
0004942675.tif 000003